(57)【特許請求の範囲】
【請求項１】
測定対象物における特定の物理量を測定するための測定体と測定体が測定した物理量を表示するための表示部を有する測定器本体とを備えた測定器に汚れが付着するのを防止するための測定器カバーであって、
測定器本体における少なくとも表示部を覆うための前壁部及び測定器本体における周部を覆うための周壁部で構成された硬質なカバー本体と、測定器本体をカバー本体内に固定するための固定具とで構成され、
カバー本体における前壁部及び周壁部が、透明な硬質樹脂によって形成され、
カバー本体における前壁部が、その上縁から上方に突出した上向き凸部を有する正面視略円形状に形成されて、
カバー本体における周壁部が、前壁部の上縁、左側縁及び右側縁に沿って連続的に設けられる一方、前壁部の下縁には周壁部が設けられない開口部が設けられて、当該開口部が測定器の測定体をカバー本体の内側から外方に突出させるための部分とされるとともに、
周壁部における前記上向き凸部の外縁を形成する部分に、前記固定具を下向きに螺合するための螺合孔が設けられたことを特徴とする測定器カバー。
【請求項２】
測定対象物における特定の物理量を測定するための測定体と測定体が測定した物理量を表示するための表示部を有する測定器本体とを備えた測定器に汚れが付着するのを防止するための測定器カバーであって、
測定器本体における少なくとも表示部を覆うための前壁部、前壁部に対向する後壁部及び測定器本体における周部を覆うための周壁部で構成された硬質なカバー本体と、測定器本体をカバー本体内に固定するための固定具とで構成され、
カバー本体における前壁部及び周壁部が、透明な硬質樹脂によって形成され、
カバー本体における前壁部及び後壁部が、正面視略矩形状に形成されて、
カバー本体における周壁部が、前壁部及び後壁部の上縁に沿って設けられた上側周壁部と、前壁部及び後壁部の一方の側縁に沿って設けられた横側周壁部とで構成され、前壁部及び後壁部の他方の側縁及び下縁には周壁部が設けられない開口部が設けられて、当該開口部が測定器の測定体をカバー本体の内側から外方に突出させるための部分とされるとともに、
後壁部における下縁に沿った部分に、前記固定具を前向きに螺合するための螺合孔が設けられたことを特徴とする測定器カバー。
【請求項３】
測定対象物における特定の物理量を測定するための測定体と測定体が測定した物理量を表示するための表示部を有する測定器本体とを備えた測定器に汚れが付着するのを防止するための測定器カバーであって、
測定器本体における少なくとも表示部を覆うための前壁部、前壁部に対向する後壁部及び測定器本体における周部を覆うための周壁部で構成された硬質なカバー本体と、測定器本体をカバー本体内に固定するための固定具とで構成され、
カバー本体における前壁部及び周壁部が、透明な硬質樹脂によって形成され、周壁部には、測定器の測定体をカバー本体の内側から外方に突出させるための開口部が設けられるとともに、
測定器本体における少なくとも操作部分を覆うための軟質なカバーシートをさらに備えていることを特徴とする測定器カバー。
【発明の詳細な説明】
【技術分野】
【０００１】
本発明は、ダイヤルゲージやマイクロメータなどの測定器を粉塵や油分などから保護するための測定器カバーに関する。
【背景技術】
【０００２】
ダイヤルゲージやマイクロメータなどの測定器は、対象物の変位や寸法を高い精度で測定するものとして知られている。これらの測定器は、精密な機構が用いられているため、過酷な環境での使用には適していない。このような実状に鑑みてか、例えば、特許文献１には、測定器における少なくとも一部分を覆うための測定器カバーであって、少なくともその片面に凹凸を有する弾性部材により形成されたものが記載されている。特許文献１には、この測定器カバーにより、測定器が外部から受ける衝撃を和らげたり、測定器への汚れの付着を防止したりすることが可能になる旨が記載されている。
【０００３】
しかし、特許文献１の測定器カバーは、測定器の大部分を覆うカバー本体が弾性部材によって形成されていた。このため、このカバー本体を測定器に装着する際には、カバー本体の内面の略全体が測定器の外面に密着するようになり、カバー本体の形状は、それを装着する測定器の形状によって一義的に定まっていた。このため、特許文献１の測定器カバーは、汎用性が低く、同じ種類の測定器であっても、その寸法や形状が僅かに変わっただけで装着できなくなるため、測定器の種類に応じて多数種用意する必要があった。特許文献１の測定器カバーは、測定器の表示部やソーラセルを覆うための保護カバーを備えたものもあるが、この保護カバーも、測定器の表示部やソーラセルの形状によって一義的に定まっており、カバー本体と同様、測定器カバーの汎用性を低下させる原因となっていた。
【０００４】
また、特許文献１の測定器カバーは、凹凸のある複雑な形状となっているため、その凹凸に汚れが溜まりやすく、洗浄しにくいという欠点も有している。さらに、特許文献１の測定器カバーは、測定器の大部分を覆うカバー本体が不透明な素材で形成されていた。このため、測定器の外面の表示（測定器のメーカー名や型式、操作ボタンの名称など）が測定器カバーによって隠されてしまう場合もあった。特許文献１の測定器カバーにおいて、カバー本体の下側に隠された表示を確認するためにはカバー本体を測定器からいちいち取り外さなければならず、非常に煩わしい。
【先行技術文献】
【特許文献】
【０００５】
【特許文献１】特開２００５−２４１６３０号公報
【発明の概要】
【発明が解決しようとする課題】
【０００６】
本発明は、上記課題を解決するためになされたものであり、測定器への汚れの付着を防止するだけでなく、保護対象である測定器の寸法や形状がある程度変化しても使い回しすることのできる汎用性の高い測定器カバーを提供するものである。また、洗浄しやすい測定器カバーを提供することも本発明の目的である。さらに、測定器の外面に記された各種表示を隠すことなく、測定器を保護することのできる視認性の高い測定器カバーを提供することも本発明の目的である。
【課題を解決するための手段】
【０００７】
上記課題は、測定対象物における特定の物理量を測定するための測定体と、測定体が測定した物理量を表示するための表示部を有する測定器本体とを備えた測定器に汚れが付着するのを防止するための測定器カバーであって、測定器本体における少なくとも表示部を覆うための前壁部及び測定器本体における周部を覆うための周壁部とで構成された硬質なカバー本体と、測定器本体をカバー本体内に固定するための固定具とで構成され、カバー本体における前壁部及び周壁部が、透明な硬質樹脂によって形成されるとともに、周壁部には、測定器の測定体をカバー本体の内側から外方に突出させるための開口部が設けられていることを特徴とする測定器カバーを提供することによって解決される。
【０００８】
このように、カバー本体を硬質な材料で形成することにより、カバー本体の内面と測定器の外面との間に隙間が存在する場合であっても、ボトルなどの固定具を使用して、カバー本体に対して測定器を固定することが可能になる。したがって、測定器カバーの汎用性を高めることができる。また、カバー本体を透明にすることにより、測定器の外面に記された表示がカバー本体によって隠されないようにすることも可能になる。
【０００９】
本発明の測定器カバーにおいて、カバー本体の具体的な形態は特に限定されない。例えば、カバー本体における前壁部を、その上縁から上方に突出した上向き凸部を有する正面視略円形状に形成して、カバー本体における周壁部を、前壁部の上縁、左側縁及び右側縁に沿って連続的に設け、前壁部の下縁には周壁部を設けないことにより、その部分を前記開口部とするとともに、周壁部における前記上向き凸部の外縁を形成する部分に、前記固定具を下向きに螺合するための螺合孔を設けるようにすると好ましい。これにより、測定器カバーを、正面視略円形の測定器本体を有する測定器を保護するものとして好適なものとすることができる。物体の表面などの相対的な変位を測定するダイヤルゲージなどは、測定器本体が正面視略円形であることが多い。
【００１０】
また、カバー本体を、前壁部に対向する後壁部をさらに備えたものとし、カバー本体における前壁部及び後壁部を、正面視略矩形状に形成して、カバー本体における周壁部を、前壁部及び後壁部の上縁に沿って設けられた上側周壁部と、前壁部及び後壁部の一方の側縁に沿って設けられた横側周壁部とで構成し、前壁部及び後壁部の他方の側縁及び下縁には周壁部を設けないことにより、その部分を前記開口部とするとともに、後壁部における下縁に沿った部分に、前記固定具を前向きに螺合するための螺合孔を設けることも好ましい。これにより、測定器カバーを、正面視略矩形の測定器本体を有する測定器を保護するものとして好適なものとすることができる。物体の厚みなどを測定するマイクロメータなどは、測定器本体が正面視略矩形であることが多い。
【００１１】
ところで、本発明の測定器カバーにおける硬質なカバー本体だけでは、測定器本体の形態によっては、それに設けられた操作部分（各種ボタンや各種スイッチなど）が露出してしまい、その部分から粉塵や油分などが測定器内部に侵入して測定器が故障するおそれもある。このような場合には、測定器カバーを、測定器本体における少なくとも操作部分を覆うための軟質なカバーシートをさらに備えたものとすると好ましい。これにより、測定器本体の形態（操作部分の配置など）にかかわらず、測定器内部に粉塵や油分などが侵入するのを防止することが可能になる。
【発明の効果】
【００１２】
以上のように、本発明によって、測定器への汚れの付着を防止するだけでなく、保護対象である測定器の寸法や形状がある程度変化しても使い回しすることのできる汎用性の高い測定器カバーを提供することが可能になる。また、洗浄しやすい測定器カバーを提供することも可能になる。さらに、測定器の外面に記された各種表示を隠すことなく、測定器を保護することのできる視認性の高い測定器カバーを提供することも可能になる。
【図面の簡単な説明】
【００１３】
【図１】第一実施態様の測定器カバーを測定器の１種であるアナログ式ダイヤルゲージに取り付けた状態を示した正面図である。
【図２】第一実施態様の測定器カバーをカバー本体と固定具とに分解した状態を示した斜視図である。
【図３】第一実施態様の測定器カバーにおけるカバー本体を示した正面図である。
【図４】第一実施態様の測定器カバーにおけるカバー本体を示した背面図である。
【図５】第一実施態様の測定器カバーにおけるカバー本体を示した平面図である。
【図６】第一実施態様の測定器カバーにおけるカバー本体を示した底面図である。
【図７】第一実施態様の測定器カバーにおけるカバー本体を示した左側面図である。
【図８】第一実施態様の測定器カバーにおけるカバー本体を示した右側面図である。
【図９】第二実施態様の測定器カバーを測定器の１種であるデジタル式ダイヤルゲージに取り付けた状態を示した正面図である。
【図１０】第二実施態様の測定器カバーをカバー本体と固定具とに分解した状態を示した斜視図である。
【図１１】第二実施態様の測定器カバーにおけるカバー本体を示した正面図である。
【図１２】第二実施態様の測定器カバーにおけるカバー本体を示した背面図である。
【図１３】第二実施態様の測定器カバーにおけるカバー本体を示した平面図である。
【図１４】第二実施態様の測定器カバーにおけるカバー本体を示した底面図である。
【図１５】第二実施態様の測定器カバーにおけるカバー本体を示した左側面図である。
【図１６】第二実施態様の測定器カバーにおけるカバー本体を示した右側面図である。
【図１７】第三実施態様の測定器カバーを測定器の１種であるマイクロメータに取り付けた状態を示した正面図である。
【図１８】第三実施態様の測定器カバーをカバー本体と固定具とに分解した状態を示した斜視図である。
【図１９】第三実施態様の測定器カバーにおけるカバー本体を示した正面図である。
【図２０】第三実施態様の測定器カバーにおけるカバー本体を示した背面図である。
【図２１】第三実施態様の測定器カバーにおけるカバー本体を示した平面図である。
【図２２】第三実施態様の測定器カバーにおけるカバー本体を示した底面図である。
【図２３】第三実施態様の測定器カバーにおけるカバー本体を示した左側面図である。
【図２４】第三実施態様の測定器カバーにおけるカバー本体を示した右側面図である。
【発明を実施するための形態】
【００１４】
本発明の測定器カバーの好適な実施態様について、図面を用いてより具体的に説明する。以下においては、本発明の測定器カバーを、第一実施態様から第三実施態様までの３つの実施態様を例に挙げて説明する。
【００１５】
１．第一実施態様の測定器カバー
まず、第一実施態様の測定器カバーについて説明する。図１は、第一実施態様の測定器カバーを測定器５０に取り付けた状態を示した正面図である。図２は、第一実施態様の測定器カバーをカバー本体１０と固定具２０とに分解した状態を示した斜視図である。図３は、第一実施態様の測定器カバーにおけるカバー本体１０を示した正面図である。図４は、第一実施態様の測定器カバーにおけるカバー本体１０を示した背面図である。図５は、第一実施態様の測定器カバーにおけるカバー本体１０を示した平面図である。図６は、第一実施態様の測定器カバーにおけるカバー本体１０を示した底面図である。図７は、第一実施態様の測定器カバーにおけるカバー本体１０を示した左側面図である。図８は、第一実施態様の測定器カバーにおけるカバー本体１０を示した右側面図である。
【００１６】
第一実施態様の測定器カバーは、図１に示すように、測定器５０に装着して使用する。測定器５０は、測定対象物における特定の物理量を測定するための測定体５１と、測定体５１が測定した物理量を表示するための表示部５３を有する測定器本体とを備えている。第一実施態様の測定器カバーを使用すると、測定器本体における表示部５３に汚れが付着するのを防止することができる。以下においては、測定器５０として、株式会社尾崎製作所の標準型ダイヤルゲージ（型式１０７）を使用した場合を例に挙げて説明するが、第一実施態様の測定器カバーを使用できる測定器５０はこれに限定されず、同様の形態を有する各種測定器に使用することができる。
【００１７】
第一実施態様の測定器カバーは、図２に示すように、前壁部１１及び周壁部１２で構成された硬質なカバー本体１０と、固定具２０とで構成されている。図１に示すように、カバー本体１０における前壁部１１は、測定器本体における表示部５３を覆うための部分となっており、周壁部１２は、測定器本体における周部を覆うための部分となっている。また、固定具２０は、測定器本体をカバー本体１０内に固定するためのものとなっている。カバー本体１０における前壁部１１及び周壁部１２は、カバー本体１０の外部から表示部５３に表示された内容が見えるように、透明な硬質樹脂によって形成されている。カバー本体１０は、複数の部材を互いに接合することにより形成されたものであってもよいが、金型で射出成形すると好ましい。これにより、カバー本体１０における各部の接合強度を高めるだけでなく、カバー本体１０を大量生産する場合に製造コストを抑えることも可能になる。
【００１８】
カバー本体１０における前壁部１１は、図３に示すように、正面視略円形状に形成されており、その上縁からは上方に突出する上向き凸部が設けられている。この上向き凸部は、図１に示すように、測定器５０における測定器本体の上部から上方に突き出たキャップ５２（棒状の測定体５１の上端を覆うキャップ）を収容するための空間を形成する。また、カバー本体１０における周壁部１２は、図３に示すように、前壁部１１の上縁、左側縁及び右側縁に沿って連続的に設けられている。周壁部１２における左側部分と右側部分の下端は、内側へ円弧状に湾曲して形成されている。前壁部１１の上部において、周壁部１２は、上述した上向き凸部の外縁に沿うように設けられている。周壁部１２における上向き凸部の外縁を形成する部分には、固定具２０を下向きに螺合するための螺合孔１０ａが設けられている。第一実施態様の測定器カバーにおいて、固定具２０は、図２に示すように、螺合孔１０ａに螺合する軸部２１と、軸部２１の上端に設けられた頭部２２とで構成されたボルトを用いている。
【００１９】
測定器カバーを上記のような構造とすることによって、図１に示すように、固定具２０を螺合孔１０ａに螺合してその軸部２１を下降させることにより、軸部２１の下端でキャップ５２の上端（図１における点Ｐ１）を押し下げ、測定器本体の下側の周部（図１における点Ｐ１，Ｐ２）を測定器カバーの周壁部１２の内周部に押し付けることができる。このように、測定器５０における３点Ｐ１，Ｐ２，Ｐ３をカバー本体１０で支持することにより、測定器５０をカバー本体１０の内部にしっかりと固定することができる。カバー本体１０は、その前壁部１１に対向する後面（背面）が開放された構造となっており、測定器５０の測定器本体は、カバー本体１０における後方からカバー本体１０の内部へと収容することができる。前壁部１１の下縁に沿った箇所には、図４に示すように、周壁部１２が設けられていない開口部を設けている。この開口部からは、図１に示すように、測定器本体をカバー本体１０の内部に収容した際に、測定体５１をカバー本体１０の外方に突出させることができる。
【００２０】
第一実施態様の測定器カバーを測定器５０に装着すると、図１に示すように、測定器５０の表示部５３を透明な前壁部１１で覆うことができる。したがって、表示部５３に汚れが付着するのを防止することができる。このため、粉塵や油分などが飛散するような過酷な現場であっても、測定器５０を使用することが可能になる。測定器カバーに付着した汚れは、測定器カバーを測定器５０から取り外して、水や洗剤などを使用して洗浄することにより、容易に洗い落とすことができる。洗浄後の測定器カバーは、再び測定器５０に装着して使用することができる。
【００２１】
２．第二実施態様の測定器カバー
次に、第二実施態様の測定器カバーについて説明する。図９は、第二実施態様の測定器カバーを測定器６０に取り付けた状態を示した正面図である。図１０は、第二実施態様の測定器カバーをカバー本体１０と固定具２０とに分解した状態を示した斜視図である。図１１は、第二実施態様の測定器カバーにおけるカバー本体１０を示した正面図である。図１２は、第二実施態様の測定器カバーにおけるカバー本体１０を示した背面図である。図１３は、第二実施態様の測定器カバーにおけるカバー本体１０を示した平面図である。図１４は、第二実施態様の測定器カバーにおけるカバー本体１０を示した底面図である。図１５は、第二実施態様の測定器カバーにおけるカバー本体１０を示した左側面図である。図１６は、第二実施態様の測定器カバーにおけるカバー本体１０を示した右側面図である。第二実施態様の測定器カバーにおいて、特に言及しない構成や使用方法については、第一実施態様の測定器カバーと同様である。
【００２２】
第二実施態様の測定器カバーは、図９に示すように、測定器６０に装着して使用する。測定器６０は、測定対象物における特定の物理量を測定するための測定体６１と、測定体６１が測定した物理量を表示するための表示部６３を有する測定器本体６４とを備えている。測定器本体６４には、測定器６０の電源のオン−オフや測定モードの切り替えなどを行うための操作部（ボタン６５〜６７など）が設けられており、測定器本体６４の上部には、図１の測定器５０のキャップ５２と同様、キャップ６２が設けられている。以下においては、測定器６０として、株式会社ミツトヨ製のアブソリュート式エンコーダ付きのデジマチックインジケータ（型式ＩＤ−Ｓ）を使用した場合を例に挙げて説明するが、第二実施態様の測定器カバーを使用できる測定器６０はこれに限定されず、同様の形態を有する各種測定器に使用することができる。
【００２３】
第二実施態様の測定器カバーは、図１０に示すように、硬質なカバー本体１０と、軟質なカバーシート３０（図９を参照。）と、固定具２０とで構成されている。カバー本体１０は、前壁部１１と周壁部１２とで構成されている。カバー本体１０における前壁部１１は、図９に示すように、測定器本体６４における表示部６３を覆うための部分となっており、周壁部１２は、測定器本体６４における周部を覆うための部分となっている。第二実施態様の測定器カバーにおいて、カバー本体１０は、第一実施態様の測定器カバーにおけるカバー本体１０と同様の形態を有しているが、前壁部１１の下縁を直線状に切り欠いていることや、前壁部１１に対する上向き凸部の相対的な寸法などで異なっている。また、測定器本体６４のボタン６７を操作するための操作孔１１ａが前壁部１１に設けられている点でも異なっている。前壁部１１及び周壁部１２が透明な硬質樹脂によって形成されていることや、測定体６１をカバー本体１０の内側から外方に突出させるための開口部が周壁部１２に設けられていることや、固定具２０を螺合するための螺合孔１０ａが周壁部１２に設けられていることなどについては、第一実施態様の測定器カバーと同様である。固定具２０も、第一実施態様の測定器カバーと同様のものを採用している。
【００２４】
第二実施態様の測定器カバーにおいて、カバーシート３０は、その下縁に開口部を有する袋状に形成されたものとなっており、測定器本体６４の上方から被せることにより、測定器本体６４の略全体を覆うことができる。袋状のカバーシート３０の底部に相当する箇所（上部）には、キャップ６２を通すための穴があけられている。このカバーシート３０により、操作部（ボタン６５〜６７）を覆うことができる。したがって、第二実施態様の測定器カバーは、測定器本体６４における表示部６３への汚れの付着を防止するだけでなく、ボタン６５〜６７の周辺から測定器本体６４の内部に粉塵や油分などが侵入するのを防止することも可能となる。カバーシート３０は、軟質であるため、測定器６０の形態や操作部の配置が変化しても容易に対応することができる。カバーシート３０は、操作部などを外部からも見ることができるように、通常、透明な素材で形成される。カバーシート３０は、カバー本体１０の外側に配してもよいが、通常、カバー本体１０の内側に配する。これにより、固定具２０を螺合孔１０ａに螺合することにより、カバー本体１０を測定器本体６４に固定するだけでなく、カバーシート３０も測定器本体６４から外れないようにすることが可能になる。
【００２５】
３．第三実施態様の測定器カバー
最後に、第三実施態様の測定器カバーについて説明する。図１７は、第三実施態様の測定器カバーを測定器７０に取り付けた状態を示した正面図である。図１８は、第三実施態様の測定器カバーをカバー本体１０と固定具２０とに分解した状態を示した斜視図である。図１９は、第三実施態様の測定器カバーにおけるカバー本体１０を示した正面図である。図２０は、第三実施態様の測定器カバーにおけるカバー本体１０を示した背面図である。図２１は、第三実施態様の測定器カバーにおけるカバー本体１０を示した平面図である。図２２は、第三実施態様の測定器カバーにおけるカバー本体１０を示した底面図である。図２３は、第三実施態様の測定器カバーにおけるカバー本体１０を示した左側面図である。図２４は、第三実施態様の測定器カバーにおけるカバー本体１０を示した右側面図である。第三実施態様の測定器カバーにおいて、特に言及しない構成や使用方法については、第一実施態様又は第二実施態様の測定器カバーと同様である。
【００２６】
第三実施態様の測定器カバーは、図１７に示すように、測定器７０に装着して使用する。測定器７０は、測定対象物における特定の物理量を測定するための測定体７１と、測定体７１を操作するためのツマミ７２と、測定体７１が測定した物理量を表示するための表示部７３を有する測定器本体７４と、測定体７１を支持するためのアーム７５とを備えたものとなっている。測定器本体７４には、測定器７０の電源のオン−オフや測定モードの切り替えなどを行うための操作部（ボタン７６〜７８など）が設けられている。以下においては、測定器７０として、株式会社ミツトヨ製のデジマチック標準外側マイクロメータ（型式ＭＤＥ，ＭＤＣ）を使用した場合を例に挙げて説明するが、第三実施態様の測定器カバーを使用できる測定器７０はこれに限定されず、同様の形態を有する各種測定器に使用することができる。
【００２７】
第三実施態様の測定器カバーは、図１７に示すように、硬質なカバー本体１０と、軟質なカバーシート３０と、固定具２０とで構成されている。カバー本体１０は、図１８に示すように、前壁部１１と周壁部１２と後壁部１３とで構成されている。図１７に示すように、カバー本体１０における前壁部１１は、測定器本体７４における表示部７３を覆うための部分となっており、周壁部１２は、測定器本体７４における周部を覆うための部分となっており、後壁部１３は、測定器本体７４における背面を覆うための部分となっている。カバー本体１０における後壁部１３の下縁に沿った部分には、図２３に示すように、肉厚部を形成している。これは、測定器本体７４の下部における前後方向の厚さが、上部における前後方向の厚さよりも小さくなっていることを考慮したものである。測定器本体７４は、図１９における紙面に向かって左側からカバー本体１０の内部へ挿入することにより、カバー本体１０の内部へ収容することができる。
【００２８】
ところで、カバー本体１０の後壁部に設けた前記肉厚部には、図２０に示すように、後壁部１３を前後方向に貫通する螺合孔１０ａを設けている。螺合孔１０ａは、後壁部１３の肉厚部の左右両端に１箇所ずつ計２箇所に設けている。固定具２０をカバー本体１０の後方から螺合孔１０ａへ前向きに螺合すると、測定器本体７４の背面が前方に押圧され、測定器本体７４の前面が前壁部１１の内面に押し付けられて、測定器本体７４がカバー本体１０の内部で挟持された状態となる。固定具２０は、その外周面にネジ溝が切られたネジ棒を使用している。このネジ棒は、その他端面に設けられた六角穴（図示省略）に六角工具を差し込むことにより、螺合することができる。第三実施態様の測定器カバーは、このようにして測定器７０に装着できる。
【００２９】
第三実施態様の測定器カバーにおいて、カバー本体１０における前壁部１１及び後壁部１３は、図１９，２０に示すように、正面視略矩形状に形成されている。周壁部１２は、前壁部１１及び後壁部１３の上縁に沿って設けられた上側周壁部１２ｂと、前壁部１１及び後壁部１３の一方の側縁（図１９の紙面に向かって右側の側縁）に沿って設けられた横側周壁部１２ａとで構成されたＬ字状のものとなっている。前壁部１１及び後壁部１３における下縁に沿った部分と、他方の側縁（図１９の紙面に向かって左側の側縁）に沿った部分は、周壁部１２が存在せず、開放された状態となっており、測定器７０の測定体７１をカバー本体１０の内側から外方に突出させるための開口部として利用できるようになっている。横側周壁部１２ａには、図１８に示すように、貫通孔１０ｂを設けており、測定器７０のツマミ７２をカバー本体１０の内部から外方へと付き出させることができるようになっている。
【００３０】
第三実施態様の測定器カバーにおいて、カバーシート３０は、少なくともその下縁及びツマミ７２が配される側の側縁が開放された形態のものを使用している。カバーシート３０におけるツマミ７２が配される側とは反対側の側縁（測定体７１が配される側の側縁）には、測定体７１を通すための開口部が設けられている。このカバーシート３０により、測定器本体７４の操作部（ボタン７６〜７８）を覆うことができる。したがって、第三実施態様の測定器カバーも、第二実施態様の測定器カバーと同様、測定器本体７４における表示部７３への汚れの付着を防止するだけでなく、ボタン７６〜７８の周辺から測定器本体７４の内部に粉塵や油分などが侵入するのを防止できる。カバーシート３０を透明な素材で形成することや、カバーシート３０をカバー本体１０の内側に配すると好ましいことなどについては、第二実施態様の測定器カバーと同様である。
【００３１】
４．用途
上述した第一実施態様から第三実施態様までの測定器カバーを含む本発明の測定器カバーは、測定した物理量を表示するための表示部を有する測定器本体を備えた各種測定器に使用することができる。なかでも、粉塵や油分などによって故障するおそれのある精密な測定器や電子式の測定器に対して好適に使用することができる。このような測定器としては、マイクロメータ（特に電子式マイクロメータ）や、ダイヤルゲージ（特に電子式ダイヤルゲージ）や、ノギス（特に電子式ノギス）などが例示される。特に、マイクロメータやダイヤルゲージは、高価であることに加えて、高い測定精度が要求されるため、本発明の測定器カバーを使用する測定器として適している。
【符号の説明】
【００３２】
１０    カバー本体
１０ａ  螺合孔
１０ｂ  貫通孔
１１    前壁部
１１ａ  操作孔
１２    周壁部
１２ａ  横側周壁部
１２ｂ  上側周壁部
１３    後壁部
２０    固定具
２１    軸部
２２    頭部
３０    カバーシート
５０    アナログ式ダイヤルゲージ（測定器）
５１    測定体
５２    キャップ
５３    表示部
６０    デジタル式ダイヤルゲージ（測定器）
６１    測定体
６２    キャップ
６３    表示部
６４    測定器本体
６５    ボタン
６６    ボタン
６７    ボタン
７０    マイクロメータ（測定器）
７１    測定体
７２    ツマミ
７３    表示部
７４    測定器本体
７５    アーム
７６    ボタン
７７    ボタン
７８    ボタン
【図１】
0005658062.tif 000002
【図２】
0005658062.tif 000003
【図３】
0005658062.tif 000004
【図４】
0005658062.tif 000005
【図５】
0005658062.tif 000006
【図６】
0005658062.tif 000007
【図７】
0005658062.tif 000008
【図８】
0005658062.tif 000009
【図９】
0005658062.tif 000010
【図１０】
0005658062.tif 000011
【図１１】
0005658062.tif 000012
【図１２】
0005658062.tif 000013
【図１３】
0005658062.tif 000014
【図１４】
0005658062.tif 000015
【図１５】
0005658062.tif 000016
【図１６】
0005658062.tif 000017
【図１７】
0005658062.tif 000018
【図１８】
0005658062.tif 000019
【図１９】
0005658062.tif 000020
【図２０】
0005658062.tif 000021
【図２１】
0005658062.tif 000022
【図２２】
0005658062.tif 000023
【図２３】
0005658062.tif 000024
【図２４】
0005658062.tif 000025